(57)【要約】【課題】複数の無線タグの中から、選択された特定のタグを備える対象物の実体を把握することが可能な情報管理システム、情報管理方法、プログラムおよび記録媒体を提供する。【解決手段】無線タグは、無線タグ近傍の環境の変化を検知するセンサと、無線タグがそれぞれ固有する、無線タグを特定する特定情報を記憶する記憶手段と、センサおよび記憶手段を制御する制御手段とを有し、リーダライタは、特定情報に対して、センサにて検知したセンサ値を要求するセンサ値要求手段を有し、環境情報が変化したときに、特定情報を有する無線タグからリーダライタへ応答されたセンサ値に基づいて、対象物の実体を把握する。【選択図】図１
2007264799.tif 000002
【特許請求の範囲】
【請求項１】
１または複数の無線タグと、当該無線タグと情報の送受信を行うリーダライタとが相互に通信可能であり、前記無線タグを備えた対象物を管理する情報管理システムであって、
前記無線タグは、
当該無線タグ近傍の環境の変化を検知するセンサと、
前記無線タグがそれぞれ固有する、当該無線タグを特定する特定情報を記憶する記憶手段と、
前記センサおよび前記記憶手段を制御する第１の制御手段とを有し、
前記リーダライタは、
前記特定情報に対して、前記センサにて検知したセンサ値を要求するセンサ値要求手段を有し、
前記環境情報が変化したときに、前記特定情報を有する前記無線タグから前記リーダライタへ応答された前記センサ値に基づいて、前記対象物の実体を把握することを特徴とする情報管理システム。
【請求項２】
前記リーダライタは、前記センサ値要求手段での要求時に、前記センサ値に対するセンサ基準値を送信するセンサ基準値送信手段をさらに有し、
前記無線タグは、前記センサにて検知したセンサ値と前記センサ基準値とを比較する第１のセンサ値比較手段を有し、
前記第１の制御手段は、前記第１のセンサ値比較手段による比較結果に基づいて、前記リーダライタへの応答の有無を選択するよう制御することを特徴とする請求項１記載の情報管理システム。
【請求項３】
前記リーダライタは、前記センサ値要求手段での要求時に前記センサ基準値を含めて送信する場合には、全ての前記無線タグに対して前記センサ値を要求することを特徴とする請求項１または２記載の情報管理システム。
【請求項４】
前記リーダライタは、前記無線タグ以外の外部機器と情報の送受信を行う通信手段と、当該通信手段、前記センサ値要求手段およびセンサ基準値送信手段を制御する第２の制御手段とを有し、
当該外部機器から前記リーダライタを介して前記特定情報に要求され、また、前記特定情報を有する前記無線タグから前記リーダライタへ応答された前記センサ値に基づいて、前記対象物の実体を把握することを特徴とする請求項１から３のいずれか１項記載の情報管理システム。
【請求項５】
前記リーダライタは、応答された前記センサ値と前記センサ値に対するセンサ基準値とを比較する第２のセンサ値比較手段を有し、
前記第２の制御手段は、前記センサ値および前記第２のセンサ値比較手段による比較結果に基づいて、前記外部機器への応答の有無を選択するよう制御することを特徴とする請求項４記載の情報管理システム。
【請求項６】
前記無線タグは、
前記センサ値を記憶するセンサ値記憶手段と、
前記環境の変化前に前記センサ値記憶手段にて記憶した前記センサ値と、前記環境の変化後に前記センサにて検知された前記センサ値との差分値を算出する差分算出手段と、
前記差分値と、前記リーダライタから送信された前記センサ基準値とを比較する第３のセンサ値比較手段とをさらに有し、
前記第１の制御手段は、前記第３のセンサ値比較手段による比較結果に基づいて、前記リーダライタへの応答の有無を選択するよう制御することを特徴とする請求項１または２記載の情報管理システム。
【請求項７】
１または複数の無線タグと、当該無線タグと情報の送受信を行うリーダライタとが相互に通信可能であり、前記無線タグを備えた対象物を管理する情報管理方法であって、
少なくとも１以上の前記無線タグ無線タグ近傍の環境を変化させる環境変化工程と、
前記環境の変化を前記無線タグのセンサにて検知する検知工程と、
前記リーダライタから、前記無線タグがそれぞれ固有し当該無線タグを特定する特定情報のうちの少なくとも１つの前記特定情報に対して、前記センサにて検知した値を要求するセンサ値要求工程と、
前記センサ値要求工程による前記リーダライタからの要求に応じて、前記特定情報を有する前記無線タグから前記センサ値を送信するセンサ値送信工程とを有し、
前記特定情報および前記センサ値に基づいて前記対象物の実体を特定することを特徴とする情報管理方法。
【請求項８】
前記センサ値要求工程での要求時に、前記センサ値に対するセンサ基準値を前記リーダライタから送信するセンサ基準値送信工程と、
センサ基準値送信工程により前記無線タグが前記センサ基準値を受け取ると、前記センサにて検知したセンサ値と前記センサ基準値とを比較する第１のセンサ値比較工程とを有し、
前記第１のセンサ値比較工程による比較結果に基づいて、前記リーダライタへの応答の有無を選択するよう制御することを特徴とする請求項７記載の情報管理方法。
【請求項９】
前記センサ値要求工程での要求時に前記センサ基準値を含めて送信する場合には、全ての前記無線タグに対して前記センサ値を要求することを特徴とする請求項７または８記載の情報管理方法。
【請求項１０】
前記無線タグ以外の外部機器と情報の送受信を行う通信工程と、当該通信工程、前記センサ値要求工程およびセンサ基準値送信工程を前記リーダライタにて制御する第２の制御工程とを有し、
当該外部機器から前記リーダライタを介して前記特定情報に要求され、また、前記特定情報を有する前記無線タグから前記リーダライタへ応答された前記センサ値に基づいて、前記対象物の実体を把握することを特徴とする請求項７から９のいずれか１項記載の情報管理方法。
【請求項１１】
応答された前記センサ値と前記センサ値に対するセンサ基準値とを前記リーダライタにて比較する第２のセンサ値比較工程を有し、
前記第２の制御工程は、前記センサ値および前記第２のセンサ値比較工程による比較結果に基づいて、前記外部機器への応答の有無を選択するよう制御することを特徴とする請求項１０記載の情報管理方法。
【請求項１２】
前記センサ値を前記無線タグに記憶するセンサ値記憶工程と、
前記環境の変化前に前記センサ値記憶工程にて記憶した前記センサ値と、前記環境の変化後に前記センサにて検知された前記センサ値との差分値を前記無線タグにて算出する差分算出工程と、
前記差分値と、前記リーダライタから送信された前記センサ基準値とを前記無線タグにて比較する第３のセンサ値比較工程とをさらに有し、
前記第１の制御工程は、前記第３のセンサ値比較工程による比較結果に基づいて、前記リーダライタへの応答の有無を選択するよう制御することを特徴とする請求項７または８記載の情報管理方法。
【請求項１３】
１または複数の無線タグと、当該無線タグと情報の送受信を行うリーダライタとが相互に通信可能であり、前記無線タグを備えた対象物を管理するプログラムであって、
少なくとも１以上の前記無線タグ無線タグ近傍の環境を変化させる環境変化処理と、
前記環境の変化を前記無線タグのセンサにて検知する検知処理と、
前記リーダライタから、前記無線タグがそれぞれ固有し当該無線タグを特定する特定情報のうちの少なくとも１つの前記特定情報に対して、前記センサにて検知した値を要求するセンサ値要求処理と、
前記センサ値要求工程による前記リーダライタからの要求に応じて、前記特定情報を有する前記無線タグから前記センサ値を送信するセンサ値送信処理とを実行させ、
前記特定情報および前記センサ値に基づいて前記対象物の実体を特定させる処理ことを特徴とするコンピュータに実行させるためのプログラム。
【請求項１４】
前記センサ値要求処理での要求時に、前記センサ値に対するセンサ基準値を前記リーダライタから送信するセンサ基準値送信処理と、
センサ基準値送信処理により前記無線タグが前記センサ基準値を受け取ると、前記センサにて検知したセンサ値と前記センサ基準値とを比較する第１のセンサ値比較処理とを実行させ、
前記第１のセンサ値比較処理による比較結果に基づいて、前記リーダライタへの応答の有無を選択するよう制御させることを特徴とする請求項１３記載のプログラム。
【請求項１５】
前記センサ値要求処理での要求時に前記センサ基準値を含めて送信する場合には、全ての前記無線タグに対して前記センサ値を要求することを特徴とする請求項１３または１４記載のプログラム。
【請求項１６】
前記無線タグ以外の外部機器と情報の送受信を行う通信処理と、当該通信処理、前記センサ値要求処理およびセンサ基準値送信処理を前記リーダライタにて制御する第２の制御処理とを実行させ、
当該外部機器から前記リーダライタを介して前記特定情報に要求され、また、前記特定情報を有する前記無線タグから前記リーダライタへ応答された前記センサ値に基づいて、前記対象物の実体を把握させることを特徴とする請求項１３から１５のいずれか１項記載のプログラム。
【請求項１７】
応答された前記センサ値と前記センサ値に対するセンサ基準値とを前記リーダライタにて比較する第２のセンサ値比較処理を実行させ、
前記第２の制御処理は、前記センサ値および前記第２のセンサ値比較処理による比較結果に基づいて、前記外部機器への応答の有無を選択するよう制御させることを特徴とする請求項１６記載のプログラム。
【請求項１８】
前記センサ値を前記無線タグに記憶するセンサ値記憶処理と、
前記環境の変化前に前記センサ値記憶処理にて記憶した前記センサ値と、前記環境の変化後に前記センサにて検知された前記センサ値との差分値を前記無線タグにて算出する差分算出処理と、
前記差分値と、前記リーダライタから送信された前記センサ基準値とを前記無線タグにて比較する第３のセンサ値比較処理とをさらに実行させ、
前記第１の制御処理は、前記第３のセンサ値比較処理による比較結果に基づいて、前記リーダライタへの応答の有無を選択するよう制御することを特徴とする請求項１３または１４記載のプログラム。
【請求項１９】
請求項１３から１８のいずれか１項記載のプログラムを記録したコンピュータ読み取り可能な記録媒体。
【発明の詳細な説明】
【技術分野】
【０００１】
本発明は、センサ内蔵無線タグおよびリーダライタを用いた情報管理システム、情報管理方法、プログラムおよび記録媒体に関する。
【背景技術】
【０００２】
近年、センサを内蔵した高機能無線タグの使用例が増加してきている。一方、複数の無線タグを一括して操作する場面で、ある特定のタグだけを操作する必要がある場合には、タグＩＤとタグの実体との対応関係を確認する作業が必要となる。しかし現状では、この作業のためにそれぞれのタグにタグＩＤを印刷したラベルを貼り付けるなどの対応策をとっているが、そのためにはタグの個数に比例した工数が必要となっている。
【０００３】
このような問題を解決する従来の技術としては、特許文献１，２に開示された発明が公知である。特許文献１には、ＲＦＩＤ（Radio Frequency IDentification）タグを走査して、タグ情報を各タグ付き物体または別々にパッケージされた品目、あるいはその両方のタグ／物体位置と相関させるための技術が記載されている。
【０００４】
また特許文献２には、回路基板に直接触れることが困難な場合であっても、回路基板上の情報を確認可能にすることができるＩＣタグを提供すると共に、当該ＩＣタグを用い、回路基板に直接触れることなく故障の原因を診断することができる故障診断装置および故障診断方法に関する技術が記載されている。
【特許文献１】特開２００１−３２２７１８号公報
【特許文献２】特開２００５−２２２２９１号公報
【発明の開示】
【発明が解決しようとする課題】
【０００５】
しかし、上述した従来技術を用いても、複数の無線タグが同時に存在する場面において特定のタグを選んで操作する場合に、その場に存在する複数の無線タグのもつＩＤを一括で読み取ることはできるが、ある特定のタグを選んでそのタグの実体に対応するＩＤが何であるかを選び出すことは困難である。
【０００６】
そこで本発明は、無線タグ近傍の環境の変化をセンサに検知させて、検知した値と無線タグそれぞれを特定する特定情報とを用いて、無線タグを備えた対象物の実体を把握する情報管理システム、情報管理方法、プログラムおよび記録媒体を提供することを目的としている。
【課題を解決するための手段】
【０００７】
上記の目的を達成するため、請求項１に記載の発明は、１または複数の無線タグと、無線タグと情報の送受信を行うリーダライタとが相互に通信可能であり、無線タグを備えた対象物を管理する情報管理システムであって、無線タグは、無線タグ近傍の環境の変化を検知するセンサと、無線タグがそれぞれ固有する、無線タグを特定する特定情報を記憶する記憶手段と、センサおよび記憶手段を制御する第１の制御手段とを有し、リーダライタは、特定情報に対して、センサにて検知したセンサ値を要求するセンサ値要求手段を有し、環境情報が変化したときに、特定情報を有する無線タグからリーダライタへ応答されたセンサ値に基づいて、対象物の実体を把握することを特徴とする。
【０００８】
請求項２に記載の発明は、請求項１記載の情報管理システムにおいて、リーダライタは、センサ値要求手段での要求時に、センサ値に対するセンサ基準値を送信するセンサ基準値送信手段をさらに有し、無線タグは、センサにて検知したセンサ値とセンサ基準値とを比較する第１のセンサ値比較手段を有し、第１の制御手段は、第１のセンサ値比較手段による比較結果に基づいて、リーダライタへの応答の有無を選択するよう制御することを特徴とする。
【０００９】
請求項３に記載の発明は、請求項１または２記載の情報管理システムにおいて、リーダライタは、センサ値要求手段での要求時にセンサ基準値を含めて送信する場合には、全ての無線タグに対してセンサ値を要求することを特徴とする。
【００１０】
請求項４に記載の発明は、請求項１から３のいずれか１項記載の情報管理システムにおいて、リーダライタは、無線タグ以外の外部機器と情報の送受信を行う通信手段と、通信手段、センサ値要求手段およびセンサ基準値送信手段を制御する第２の制御手段とを有し、外部機器からリーダライタを介して特定情報に要求され、また、特定情報を有する無線タグからリーダライタへ応答されたセンサ値に基づいて、対象物の実体を把握することを特徴とする。
【００１１】
請求項５に記載の発明は、請求項４記載の情報管理システムにおいて、リーダライタは、応答されたセンサ値とセンサ値に対するセンサ基準値とを比較する第２のセンサ値比較手段を有し、第２の制御手段は、センサ値および第２のセンサ値比較手段による比較結果に基づいて、外部機器への応答の有無を選択するよう制御することを特徴とする。
【００１２】
請求項６に記載の発明は、請求項１または２記載の情報管理システムにおいて、無線タグは、センサ値を記憶するセンサ値記憶手段と、環境の変化前にセンサ値記憶手段にて記憶したセンサ値と、環境の変化後にセンサにて検知されたセンサ値との差分値を算出する差分算出手段と、差分値と、リーダライタから送信されたセンサ基準値とを比較する第３のセンサ値比較手段とをさらに有し、第１の制御手段は、第３のセンサ値比較手段による比較結果に基づいて、リーダライタへの応答の有無を選択するよう制御することを特徴とする。
【００１３】
請求項７に記載の発明は、１または複数の無線タグと、無線タグと情報の送受信を行うリーダライタとが相互に通信可能であり、無線タグを備えた対象物を管理する情報管理方法であって、少なくとも１以上の無線タグ無線タグ近傍の環境を変化させる環境変化工程と、環境の変化を無線タグのセンサにて検知する検知工程と、リーダライタから、無線タグがそれぞれ固有し無線タグを特定する特定情報のうちの少なくとも１つの特定情報に対して、センサにて検知した値を要求するセンサ値要求工程と、センサ値要求工程によるリーダライタからの要求に応じて、特定情報を有する無線タグからセンサ値を送信するセンサ値送信工程とを有し、特定情報およびセンサ値に基づいて対象物の実体を特定することを特徴とする。
【００１４】
請求項８に記載の発明は、請求項７記載の情報管理方法において、センサ値要求工程での要求時に、センサ値に対するセンサ基準値をリーダライタから送信するセンサ基準値送信工程と、センサ基準値送信工程により無線タグがセンサ基準値を受け取ると、センサにて検知したセンサ値とセンサ基準値とを比較する第１のセンサ値比較工程とを有し、第１のセンサ値比較工程による比較結果に基づいて、リーダライタへの応答の有無を選択するよう制御することを特徴とする。
【００１５】
請求項９に記載の発明は、請求項７または８記載の情報管理方法において、センサ値要求工程での要求時にセンサ基準値を含めて送信する場合には、全ての無線タグに対してセンサ値を要求することを特徴とする。
【００１６】
請求項１０に記載の発明は、請求項７から９のいずれか１項記載の情報管理方法において、無線タグ以外の外部機器と情報の送受信を行う通信工程と、通信工程、センサ値要求工程およびセンサ基準値送信工程をリーダライタにて制御する第２の制御工程とを有し、外部機器からリーダライタを介して特定情報に要求され、また、特定情報を有する無線タグからリーダライタへ応答されたセンサ値に基づいて、対象物の実体を把握することを特徴とする。
【００１７】
請求項１１に記載の発明は、請求項１０記載の情報管理方法において、応答されたセンサ値とセンサ値に対するセンサ基準値とをリーダライタにて比較する第２のセンサ値比較工程を有し、第２の制御工程は、センサ値および第２のセンサ値比較工程による比較結果に基づいて、外部機器への応答の有無を選択するよう制御することを特徴とする。
【００１８】
請求項１２に記載の発明は、請求項７または８記載の情報管理方法において、センサ値を無線タグに記憶するセンサ値記憶工程と、環境の変化前にセンサ値記憶工程にて記憶したセンサ値と、環境の変化後にセンサにて検知されたセンサ値との差分値を無線タグにて算出する差分算出工程と、差分値と、リーダライタから送信されたセンサ基準値とを無線タグにて比較する第３のセンサ値比較工程とをさらに有し、第１の制御工程は、第３のセンサ値比較工程による比較結果に基づいて、リーダライタへの応答の有無を選択するよう制御することを特徴とする。
【００１９】
請求項１３に記載の発明は、１または複数の無線タグと、無線タグと情報の送受信を行うリーダライタとが相互に通信可能であり、無線タグを備えた対象物を管理するプログラムであって、少なくとも１以上の無線タグ無線タグ近傍の環境を変化させる環境変化処理と、環境の変化を無線タグのセンサにて検知する検知処理と、リーダライタから、無線タグがそれぞれ固有し無線タグを特定する特定情報のうちの少なくとも１つの特定情報に対して、センサにて検知した値を要求するセンサ値要求処理と、センサ値要求工程によるリーダライタからの要求に応じて、特定情報を有する無線タグからセンサ値を送信するセンサ値送信処理とを実行させ、特定情報およびセンサ値に基づいて対象物の実体を特定させるようにコンピュータに実行させることを特徴とする。
【００２０】
請求項１４に記載の発明は、請求項１３記載のプログラムにおいて、センサ値要求処理での要求時に、センサ値に対するセンサ基準値をリーダライタから送信するセンサ基準値送信処理と、センサ基準値送信処理により無線タグがセンサ基準値を受け取ると、センサにて検知したセンサ値とセンサ基準値とを比較する第１のセンサ値比較処理とを実行させ、第１のセンサ値比較処理による比較結果に基づいて、リーダライタへの応答の有無を選択するよう制御させることを特徴とする。
【００２１】
請求項１５に記載の発明は、請求項１３または１４記載のプログラムにおいて、センサ値要求処理での要求時にセンサ基準値を含めて送信する場合には、全ての無線タグに対してセンサ値を要求することを特徴とする。
【００２２】
請求項１６に記載の発明は、請求項１３から１５のいずれか１項記載のプログラムにおいて、無線タグ以外の外部機器と情報の送受信を行う通信処理と、通信処理、センサ値要求処理およびセンサ基準値送信処理をリーダライタにて制御する第２の制御処理とを実行させ、外部機器からリーダライタを介して特定情報に要求され、また、特定情報を有する無線タグからリーダライタへ応答されたセンサ値に基づいて、対象物の実体を把握させることを特徴とする。
【００２３】
請求項１７に記載の発明は、請求項１６記載のプログラムにおいて、応答されたセンサ値とセンサ値に対するセンサ基準値とをリーダライタにて比較する第２のセンサ値比較処理を実行させ、第２の制御処理は、センサ値および第２のセンサ値比較処理による比較結果に基づいて、外部機器への応答の有無を選択するよう制御させることを特徴とする。
【００２４】
請求項１８に記載の発明は、請求項１３または１４記載のプログラムにおいて、センサ値を無線タグに記憶するセンサ値記憶処理と、環境の変化前にセンサ値記憶処理にて記憶したセンサ値と、環境の変化後にセンサにて検知されたセンサ値との差分値を無線タグにて算出する差分算出処理と、差分値と、リーダライタから送信されたセンサ基準値とを無線タグにて比較する第３のセンサ値比較処理とをさらに実行させ、第１の制御処理は、第３のセンサ値比較処理による比較結果に基づいて、リーダライタへの応答の有無を選択するよう制御することを特徴とする。
【００２５】
請求項１９に記載の発明は、請求項１３から１８のいずれか１項記載のプログラムを記録したコンピュータ読み取り可能な記録媒体であることを特徴とする。
【発明の効果】
【００２６】
このように、本発明の情報管理システム、情報管理方法、プログラムおよび記録媒体によれば、対象物に備えられた無線タグ近傍の環境の変化をセンサに検知させて、検知した値と無線タグそれぞれを特定する特定情報とによって、対象物の実体を把握することができる。
【発明を実施するための最良の形態】
【００２７】
本実施形態では、複数存在するセンサ内蔵無線タグに対し、その中から操作対象として任意にセンサ内蔵無線タグを選び、例えば発行装置による照射操作など、そのタグの持つセンサの値を変化させる物理条件変更操作を行った状態、例えば、センサ近傍の環境を変化させた状態で、各無線タグのＩＤとセンサの値の変化量を検査する。このときセンサの値が与えられた閾値を超えているタグＩＤが、前述の操作で選んだタグ実体に対応するタグＩＤであると特定することができる。
【００２８】
以下に、本実施形態の情報管理システム、情報管理方法、プログラムおよび記録媒体を図面を用いて説明する。なお、本実施形態は以下に述べるものに限定されず、その趣旨を逸脱しない範囲において種々変更が可能である。
図１は、本実施形態の情報管理システム、情報管理方法、プログラムおよび記録媒体の構成を示すブロック図である。
【００２９】
図１に示すように本実施形態の情報管理システムは、無線タグ１，２と無線タグリーダライタ３とで構成される。無線タグ１および無線タグ２は、同様の構成を有するセンサ内蔵無線タグであり、センサ部１１，２１と、制御部１２，２２と、ＩＤ記憶部２３，３３と、通信部１４，２４とをそれぞれ備えている。なお、本実施形態では以下、無線タグ１，２に内蔵されるセンサを照度センサとして説明する。
【００３０】
センサ部１１，２１は、照度センサであり、周囲の明るさ（照度・輝度）の値（照度値）を検知する。また例えば、発光装置からの照射操作などに応じて変化するセンサおよびその近傍の明るさを検知する。制御部１２，２２は無線タグ１，２の全体を制御するもので、センサ部１１，２１から検知したセンサ値を取得する。ＩＤ記憶部１３，２３は、ぞれぞれの無線タグ固有の情報を記憶する。ＩＤ記憶部１３には無線タグ１のＩＤであるＩＤａが記録され、また、記憶部２３には無線タグ２のＩＤであるＩＤｂが記録されている。通信部１４，２４は、無線タグリーダライタ３との通信を行うもので、無線タグリーダライタ３からのコマンドの受信や当該コマンドへの応答などを行う。
【００３１】
無線タグリーダライタ３は、制御部３１と、記憶部３２と、通信部３３とを備えている。制御部３１は無線タグリーダライタ３全体を制御するもので、通信部３３を介した上記無線タグ１，２との通信に係る制御や、無線タグ１，２から受信したセンサ値などの記憶部３２への制御などを行う。記憶部３２は、無線タグ１，２から受信したセンサ値などを記憶する。通信部３３は、各無線タグとの通信を媒介する。
【００３２】
なおここでは図示しないが、無線タグリーダライタ３の記憶部３３に記憶されたデータや無線タグへの指令コマンドなどは、外部の制御装置やサーバなどに送受信されることとしてもよい。この場合の動作については、後述する図６にて説明する。
以下に、本実施形態の情報管理システム、情報管理方法、プログラムおよび記録媒体について、各実施形態ごとに説明する。
【００３３】
［第１実施形態］
図２は、本実施形態の情報管理システムの構成を示すブロック図である。また図３は、本実施形態の情報管理システムの動作を示すフローチャートである。なお、図２中の矢印に付されたステップ番号と図３中のステップ番号とは同様とする。
【００３４】
まず、無線タグ１に対して、図示しない発光装置を用いて照射操作を行う（ステップＳ１０１）。この照射操作が行われていない状態で、各無線タグのセンサ部のセンサにおける照度値（センサ値）はｍ未満であり、一方、選択され照射操作が行われた後の無線タグのセンサにおける照度値はｍ以上となるものとする。
【００３５】
このように照射操作が行われた状態で、次に、無線タグリーダライタ３は、ＩＤａに対してセンサ値を読み取るためのセンサ値読み取りコマンドを発行する（ステップＳ１０２）。すると、無線タグ１の通信部１４は、この読み取りコマンドを受信して制御部１２へと送る（ステップＳ１０３）。読み取りコマンドを受け取った制御部１２は、ＩＤ記憶部１３に記憶された無線タグ１固有のＩＤがＩＤａであることを確認して、センサ部１１より照度値を読み出す（ステップＳ１０４）。センサ部１１から読み出した照度値は、通信部１４を介して、読み取りコマンドへの応答という形で無線タグリーダライタ３へと送られる（ステップＳ１０５）。
【００３６】
これらの動作を同様にして、ＩＤｂに対しても行う。すなわち、無線タグリーダライタ３からＩＤｂに対してセンサ値を読み取るためのセンサ値読み取りコマンドを発行する（ステップＳ１０６）。無線タグ２の通信部２４は、この読み取りコマンドを受信して制御部２２へと送る（ステップＳ１０７）。読み取りコマンドを受け取った制御部２２は、ＩＤ記憶部２３に記憶された無線タグ２固有のＩＤがＩＤｂであることを確認して、センサ部２１より照度値を読み出す（ステップＳ１０８）。センサ部２１から読み出した照度値は、通信部２４を介して、読み取りコマンドへの応答という形で無線タグリーダライタ３へと送られる（ステップＳ１０９）。このようにして得られた照度値と、各無線タグ固有のタグＩＤとを組み合わせて、無線タグの実体を特定する（ステップＳ１１０）。
【００３７】
発光装置からの照射操作によって無線タグ１から応答されたセンサ値はｍ以上であり、一方、照射を受けていない無線タグ２から応答されたセンサ値はｍ未満となる。つまり、ＩＤａに対応する照度値はｍ以上であり、ＩＤｂに対応する照度値はｍ未満という結果が得られることになる。このようなタグＩＤと照度値との組み合わせより、タグＩＤがＩＤａである無線タグの実体が、発光装置にて照射対象として選択されて照射操作を行った無線タグ１である、ということを特定することができる。
【００３８】
また、発光装置で照射する対象を無線タグ２にした場合でも、上述した無線タグ１での動作と同様にして、タグＩＤがＩＤｂである無線タグの実体が、無線タグ２であることを特定することができる。
【００３９】
なお、本実施形態では無線タグに内蔵されるセンサと物理条件操作との組み合わせを、照度センサ／発光装置による照射という組み合わせで説明したが、本実施形態はこれに限定されず、無線タグ近傍の環境を変化させるものであれば、どのようなものでもよい。例えば、温度センサ／熱源装置、風圧センサ／送風装置、圧力センサ／加圧装置など、センサ種別とそのセンサの値を変化させる物理現象の組み合わせは様々なものが適用可能である。また本実施形態では、無線タグを２つという構成で説明したが、無線タグの数は任意の数が適用可能であることは言うまでもない。
【００４０】
このように、本実施形態によれば、複数のセンサ内蔵無線タグを操作する場面において、タグＩＤに対応するタグ実体を特定することが容易となる。
【００４１】
［第２実施形態］
また、本実施形態の情報管理システム、情報管理方法、プログラムおよび記録媒体によれば、上述した本実施形態の受信コマンドへの応答を実施するか否か選択することも可能である。本実施形態では、無線タグリーダライタから発行するセンサ値読み取りコマンド内にセンサ基準値を付加して送信する。そして、各無線タグ内の制御部が、センサ部から取得したセンサ値とセンサ値読み取りコマンド内のセンサ基準値とを比較して、この比較結果に基づきコマンドへの応答の実施を選択する。
以下に、図面を参照しながら本実施形態を説明する。
【００４２】
図４は、本実施形態の情報管理システムの構成を示すブロック図である。また図５は、本実施形態の情報管理システムの動作を示すフローチャートである。なお、本実施形態の情報管理システムの構成およびその機能は、前述した第１実施形態と同様であるので、ここでは動作について説明し、構成の説明は省略する。
【００４３】
第１実施形態と同様に、まず無線タグ１に対して、図示しない発光装置を用いて照射操作を行う（ステップＳ２０１）。この照射操作によって、無線タグ１のセンサ値はｍ以上となり、一方、無線タグ２のセンサ値はｍ未満となる。このように照射操作が行われた状態で、次に、無線タグリーダライタ３は、全ての無線タグに対してセンサ値読み取りコマンドを発行する（ステップＳ２０２）。このコマンド内には、センサ基準値ｍが含まれている。
【００４４】
まず、無線タグ１の通信部１４は、この読み取りコマンドを受信して制御部１２へと送る（ステップＳ２０３）。読み取りコマンドを受け取った制御部１２は、センサ部１１より照度値を読み出す（ステップＳ２０４）。ここで制御部１２は、センサ部１１から読み出した照度値と、読み取りコマンドに含まれたセンサ基準値とを比較する（ステップＳ２０５）。
【００４５】
無線タグ１は発行装置にて照射操作を行われているので、上記比較の結果、照度値がｍ以上である。したがって、制御部１２は、ＩＤ記憶部１３に記憶されているタグＩＤであるＩＤａを、通信部１４を介して読み取りコマンドへの応答という形で無線タグリーダライタ３へと送信する（ステップＳ２０６）。
【００４６】
一方、これらの動作を同様にして、無線タグ２に対しても行う。すなわち、無線タグ２の通信部２４は、読み取りコマンドを受信して制御部２２へと送る（ステップＳ２０７）。読み取りコマンドを受け取った制御部２２は、センサ部２１より照度値を読み出す（ステップＳ２０８）。ここで制御部２２は、センサ部２１から読み出した照度値と、読み取りコマンドに含まれたセンサ基準値とを比較する（ステップＳ２０９）。無線タグ２には照射操作が行われていないので、上記比較の結果、照度値がｍ未満となる。したがって、制御部２２は、読み取りコマンドへの応答を行わないことになる（ステップＳ２１０）。
【００４７】
このようにして、無線タグリーダライタ３が受信した応答に含まれるタグＩＤがＩＤａであることから、無線タグの実体を特定する（ステップＳ２１１）。すなわち、発行装置での照射操作の対象として選択した無線タグ１のＩＤが、ＩＤａであることを特定することができる。
【００４８】
また、発光装置で照射する対象を無線タグ２にした場合でも、上述した無線タグ１での動作と同様にして、タグＩＤがＩＤｂである無線タグの実体が、無線タグ２であることを特定することができる。
【００４９】
なお、本実施形態では無線タグに内蔵されるセンサと物理条件操作との組み合わせを、照度センサ／発光装置による照射という組み合わせで説明したが、本実施形態もこれに限定されず、無線タグ近傍の環境を変化させるものであればどのようなものでもよい。例えば、温度センサ／熱源装置、風圧センサ／送風装置、圧力センサ／加圧装置など、センサ種別とそのセンサの値を変化させる物理現象の組み合わせは様々なものが適用可能である。また本実施形態では、無線タグを２つという構成で説明したが、無線タグの数は任意の数が適用可能であることは言うまでもない。
【００５０】
このように、本実施形態によれば、複数のセンサ内蔵無線タグを操作する場面において、タグＩＤに対応するタグ実体を特定することが容易となり、かつ、選択したタグのタグＩＤの取得の際、必要となる通信量を低減させることが可能となる。
【００５１】
［第３実施形態］
また、本実施形態の情報管理システム、情報管理方法、プログラムおよび記録媒体によれば、無線タグリーダライタ内の制御部にてコマンド要求に対する応答を制御することも可能である。本実施形態では、無線タグリーダライタ３の制御部３１が、センサ内蔵無線タグから受け取った応答コマンドに含まれるセンサ値と、センサ基準値との比較結果に基づいて、読み取りコマンド要求に対する応答結果に含めるＩＤを選択する機能を有している。
以下に、図面を参照しながら本実施形態を説明する。
【００５２】
図６は、本実施形態の情報管理システムの構成を示すブロック図である。また図７は、本実施形態の情報管理システムの動作を示すフローチャートである。なお、本実施形態の情報管理システムの構成およびその機能は、前述した第１実施形態とほぼ同様であるので、ここでは動作について説明し、構成の説明は省略する。
【００５３】
第１実施形態と同様に、まず無線タグ１に対して、図示しない発光装置を用いて照射操作を行う（ステップＳ３０１）。この照射操作が行われていない状態で、各無線タグのセンサ部のセンサにおける照度値（センサ値）はｍ未満であり、一方、選択され照射操作が行われた後の無線タグのセンサにおける照度値はｍ以上となるものとする。
【００５４】
このように照射操作が行われた状態で、次に、例えば外部制御装置などから無線タグリーダライタ３の制御部３１に対して、センサ基準値ｍを含むセンサ値読み取りコマンド要求を発行する（ステップＳ３０２）。
【００５５】
無線タグリーダライタ３は、外部から受信したセンサ値読み取りコマンド要求に基づき、ＩＤａというタグＩＤに対してセンサ値読み取りコマンドを発行する（ステップＳ３０３）。無線タグ１の通信部１４は、この読み取りコマンドを受信して制御部１２へと送る（ステップＳ３０４）。読み取りコマンドを受け取った制御部１２は、ＩＤ記憶部１３に記憶された無線タグ１固有のＩＤがＩＤａであることを確認して、センサ部１１より照度値を読み出す（ステップＳ３０５）。センサ部１１から読み出した照度値は、通信部１４を介して、読み取りコマンドへの応答という形で無線タグリーダライタ３へと送られる（ステップＳ３０６）。
【００５６】
これらの動作を同様にして、ＩＤｂに対しても行う。すなわち、無線タグリーダライタ３からＩＤｂに対してセンサ値を読み取るためのセンサ値読み取りコマンドを発行する（ステップＳ３０７）。無線タグ２の通信部２４は、この読み取りコマンドを受信して制御部２２へと送る（ステップＳ３０８）。読み取りコマンドを受け取った制御部２２は、ＩＤ記憶部２３に記憶された無線タグ２固有のＩＤがＩＤｂであることを確認して、センサ部２１より照度値を読み出す（ステップＳ３０９）。センサ部２１から読み出した照度値は、通信部２４を介して、読み取りコマンドへの応答という形で無線タグリーダライタ３へと送られる（ステップＳ３１０）。
【００５７】
発行装置による照射操作によって、無線タグ１からのコマンドへの応答に含まれるセンサ値はｍ以上であり、一方、照射操作が行われていない無線タグ２からのコマンドへの応答に含まれるセンサ値はｍ未満となる。つまり、ＩＤａに対応する照度値はｍ以上であり、ＩＤｂに対応する照度値はｍ未満という結果が得られる。
【００５８】
このようにして得られたタグＩＤと照度値との組み合わせの結果から、無線タグリーダライタ３の制御部３１は、発行されたセンサ値読み取りコマンド要求に対する応答として、ＩＤａを選択して応答する（ステップＳ３１１）。このようにして得られた結果から、各無線タグ固有のタグＩＤとを組み合わせて、無線タグの実体を特定する（ステップＳ３１２）。
【００５９】
また、発光装置で照射する対象を無線タグ２にした場合でも、上述した無線タグ１での動作と同様にして、タグＩＤがＩＤｂである無線タグの実体が、無線タグ２であることを特定することができる。
【００６０】
なお、本実施形態では無線タグに内蔵されるセンサと物理条件操作との組み合わせを、照度センサ／発光装置による照射という組み合わせで説明したが、本実施形態もこれに限定されず、無線タグ近傍の環境を変化させるものであればどのようなものでもよい。例えば、温度センサ／熱源装置、風圧センサ／送風装置、圧力センサ／加圧装置など、センサ種別とそのセンサの値を変化させる物理現象の組み合わせは様々なものが適用可能である。また本実施形態では、無線タグを２つという構成で説明したが、無線タグの数は任意の数が適用可能であることは言うまでもない。
【００６１】
このように、本実施形態によれば、複数のセンサ内蔵無線タグを操作する場面において、タグＩＤに対応するタグ実体を特定することが容易となり、かつ、選択したタグのタグＩＤの取得の際、必要となる通信量を低減させることが可能となる。
【００６２】
［第４実施形態］
さらに、本実施形態の情報管理システム、情報管理方法、プログラムおよび記録媒体によれば、無線タグ内に、センサ値を記憶するセンサ値記憶部を備えることも可能である。本実施形態では、前述した第２実施形態の構成および機能に加えて、無線タグリーダライタ３からの指示を受けた時点でのセンサ値を記憶するセンサ値記憶部を有している。このセンサ値記憶部に記憶されたセンサ値と、無線タグリーダライタ３から受信したセンサ値読み取りコマンドに含まれるセンサ基準値とを用いて、コマンドへの応答の実施を選択する。
以下に、図面を参照しながら本実施形態を説明する。
【００６３】
図８は、本実施形態の情報管理システムの構成を示すブロック図である。また図９は、本実施形態の情報管理システムの動作を示すフローチャートである。なお、本実施形態の情報管理システムの構成およびその機能は、前述した第２実施形態と同様であるので、ここでは動作について説明し、構成の説明は省略する。
【００６４】
まず、無線タグリーダライタ３は、全ての無線タグに対してセンサ値記憶コマンドを送信する（ステップＳ４０１）。この時点での無線タグ１のセンサ部１１におけるセンサ値をｎＡとし、また、無線タグ２のセンサ部２１におけるセンサ値をｎＢとする。センサ値記憶コマンドを受信した無線タグ１は、その時点でのセンサ値ｎＡをセンサ部１１から取得してセンサ値記憶部１５に記憶する（ステップＳ４０２）。無線タグ２でも同様に、その時点でのセンサ値ｎＢをセンサ部２１から取得してセンサ値記憶部２５に記憶する。
【００６５】
次に、無線タグ１に対して、図示しない発光装置を用いて照射操作を行う（ステップＳ４０３）。発行装置による照射操作によって、無線タグ１のセンサ値はｎＡ＋ｍ以上となり、一方、照射操作を受けていない無線タグ２のセンサ値はｎＢ＋ｍ未満となるものとする。
【００６６】
この状態で、無線タグリーダライタ３は、センサ基準値ｍを含むセンサ値読み取りコマンドを全ての無線タグに対して発行する（ステップＳ４０４）。まず、無線タグ１の通信部１４は、この読み取りコマンドを受信して制御部１２へと送る（ステップＳ４０５）。読み取りコマンドを受け取った制御部１２は、センサ部１１より照度値を読み出す（ステップＳ４０６）。
【００６７】
ここで制御部１２は、センサ部１１から読み出した照度値と、ステップＳ４０２にて記憶したセンサ値記憶部１５内のセンサ値（ｎＡ）との差分を算出する（ステップＳ４０７）。そして、算出された差分の値（差分値）と読み取りコマンドに含まれたセンサ基準値ｍとを比較する（ステップＳ４０８）。
【００６８】
無線タグ１は発行装置にて照射操作を行われているので、上記比較の結果、差分の値がｍ以上である。したがって、制御部１２は、ＩＤ記憶部１３に記憶されているタグＩＤであるＩＤａを、通信部１４を介して読み取りコマンドへの応答という形で無線タグリーダライタ３へと送信する（ステップＳ４０９）。
【００６９】
また、無線タグ２についても、上記無線タグ１と同様の動作を行う。無線タグ２の通信部２４は、無線タグリーダライタ３からの読み取りコマンドを受信して制御部２２へと送る（ステップＳ４１０）。読み取りコマンドを受け取った制御部２２は、センサ部２１より照度値を読み出す（ステップＳ４１１）。そして、制御部２２は、センサ部２１から読み出した照度値と、ステップＳ４０２にて記憶したセンサ値記憶部２５内のセンサ値（ｎＢ）との差分を算出する（ステップＳ４１２）。そして、算出された差分の値と読み取りコマンドに含まれたセンサ基準値ｍとを比較する（ステップＳ４１３）。無線タグ２は照射操作が行われていないので、上記比較の結果、差分の値がｍ未満である。したがって、制御部２２は、読み取りコマンドへの応答を行わないことになる（ステップＳ４１４）。
【００７０】
このようにして、無線タグリーダライタ３が受信した応答に含まれるタグＩＤがＩＤａであることから、無線タグの実体を特定する（ステップＳ４１５）。すなわち、発行装置での照射操作の対象として選択した無線タグ１のＩＤが、ＩＤａであることを特定することができる。
【００７１】
また、発光装置で照射する対象を無線タグ２にした場合でも、上述した無線タグ１での動作と同様にして、タグＩＤがＩＤｂである無線タグの実体が、無線タグ２であることを特定することができる。
【００７２】
なお、本実施形態では無線タグに内蔵されるセンサと物理条件操作との組み合わせを、照度センサ／発光装置による照射という組み合わせで説明したが、本実施形態もこれに限定されず、無線タグ近傍の環境を変化させるものであればどのようなものでもよい。例えば、温度センサ／熱源装置、風圧センサ／送風装置、圧力センサ／加圧装置など、センサ種別とそのセンサの値を変化させる物理現象の組み合わせは様々なものが適用可能である。また本実施形態では、無線タグを２つという構成で説明したが、無線タグの数は任意の数が適用可能であることは言うまでもない。
【００７３】
このように、本実施形態によれば、複数のセンサ内蔵無線タグを操作する場面において、タグＩＤに対応するタグ実体を特定することが容易となり、かつ、選択したタグのタグＩＤの取得の際、必要となる通信量を低減させることが可能となる。さらには、選択したタグのタグＩＤ取得の際の物理条件に係る変更操作を容易に行うことが可能となる。
【００７４】
以上、本実施形態の情報管理システム、情報管理方法、プログラムおよび記録媒体によれば、センサを内蔵した無線タグに制御部を備え、無線タグの動作を決定するセンサ値の条件を指定することが可能となる。これにより、無線タグリーダライタなど外部からの指示でセンサ値の条件を指定して、位置を特定するためのセンサ値変動操作を柔軟かつ容易に実施することができる。また、センサ値の変化量を記録して、その変化量を条件として位置特定のための応答機能を実現することも可能である。
【００７５】
例えば、倉庫内に格納された多数の対象物の位置を把握するような場合、対象物ごとに本実施形態の無線タグを持たせることで、発光装置による照射操作後に、固有のタグＩＤを有する無線タグの照度値から無線タグを持たせた対象物の位置を容易に特定することが可能となる。このように、照射対象として選択され発光装置にて照射操作が行われた複数の無線タグにおいて、タグＩＤとセンサ値（照度値）と組み合わせることで、センサ値の値に基づいて無線タグの実体を特定することができる。なお本実施形態では、対象物の位置を特定するものとして説明したが、本実施形態の情報管理システム、情報管理方法、プログラムおよび記録媒体は、位置の特定のみに限定されず、様々な分野に利用が可能である。
【図面の簡単な説明】
【００７６】
【図１】本実施形態の無線タグおよび無線タグリーダライタの構成を示すブロック図である。
【図２】第１実施形態における無線タグおよび無線タグリーダライタの構成を示すブロック図である。
【図３】第１実施形態における無線タグおよび無線タグリーダライタの動作を示すフローチャートである。
【図４】第２実施形態における無線タグおよび無線タグリーダライタの構成を示すブロック図である。
【図５】第２実施形態における無線タグおよび無線タグリーダライタの動作を示すフローチャートである。
【図６】第３実施形態における無線タグおよび無線タグリーダライタの構成を示すブロック図である。
【図７】第３実施形態における無線タグおよび無線タグリーダライタの動作を示すフローチャートである。
【図８】第４実施形態における無線タグおよび無線タグリーダライタの構成を示すブロック図である。
【図９】第４実施形態における無線タグおよび無線タグリーダライタの動作を示すフローチャートである。
【符号の説明】
【００７７】
１，２    無線タグ
３    無線タグリーダライタ
１１，２１    センサ部
１２，２２，３１    制御部
１３，２３    ＩＤ記憶部
１４，２４，３３    通信部
１５，２５    センサ値記憶部
３２    記憶部
【図１】
2007264799.tif 000003
【図２】
2007264799.tif 000004
【図３】
2007264799.tif 000005
【図４】
2007264799.tif 000006
【図５】
2007264799.tif 000007
【図６】
2007264799.tif 000008
【図７】
2007264799.tif 000009
【図８】
2007264799.tif 000010
【図９】
2007264799.tif 000011